(57)【要約】      （修正有）【課題】一般消費者に販売することを目的とする印刷物について、一般消費者が、各人の好みに応じて、オリジナルな印刷物を容易に手に入れられるようにすること。【解決手段】消費者の端末に、インターネットを介して、接続されるシステムであって、  消費者の端末に対して、消費者が、印刷物の各紙面に印刷される内容を、一つ又は複数の紙面単位で、その候補から選択することにより、印刷物のカスタマイズを行って注文できる環境を提供する機能と、  印刷物の注文を受けると、印刷業者に対する注文データを作成する機能とを有することを特徴とする印刷物受注システム。【選択図】図１
2007004348.tif 000002
【特許請求の範囲】
【請求項１】
消費者の端末に、インターネットを介して、接続されるシステムであって、
消費者の端末に対して、消費者が、印刷物の各紙面に印刷される内容を、一つ又は複数の紙面単位で、その候補から選択することにより、印刷物のカスタマイズを行って注文できる環境を提供する機能と、
印刷物の注文を受けると、印刷業者に対する注文データを作成する機能とを有することを特徴とする印刷物受注システム。
【請求項２】
消費者の端末に、インターネットを介して、接続されるシステムであって、
消費者の端末に対して、消費者が、印刷物の各紙面ごとに、レイアウトと、レイアウト上の素材を配置する位置に、配置する素材とを、それぞれの候補から選択することにより、印刷物のカスタマイズを行って注文できる環境を提供する機能と、
印刷物の注文を受けると、印刷業者に対する注文データを作成する機能とを有することを特徴とする印刷物受注システム。
【請求項３】
消費者の端末に、インターネットを介して、接続されるシステムが実行する方法であって、
消費者の端末に対して、消費者が、印刷物の各紙面に印刷される内容を、一つ又は複数の紙面単位で、その候補から選択することにより、印刷物のカスタマイズを行って注文できる環境を提供する工程と、
印刷物の注文を受けると、印刷業者に対する注文データを作成する工程とを含むことを特徴とする印刷物受注方法。
【請求項４】
消費者の端末に、インターネットを介して、接続されるシステムが実行する方法であって、
消費者の端末に対して、消費者が、印刷物の各紙面ごとに、レイアウトと、レイアウト上の素材を配置する位置に、配置する素材とを、それぞれの候補から選択することにより、印刷物のカスタマイズを行って注文できる環境を提供する工程と、
印刷物の注文を受けると、印刷業者に対する注文データを作成する工程とを含むことを特徴とする印刷物受注方法。
【請求項５】
消費者の端末に、インターネットを介して、接続されるシステムに、
消費者の端末に対して、消費者が、印刷物の各紙面に印刷される内容を、一つ又は複数の紙面単位で、その候補から選択することにより、印刷物のカスタマイズを行って注文できる環境を提供する機能と、
印刷物の注文を受けると、印刷業者に対する注文データを作成する機能とを実現させることを特徴とする印刷物受注プログラム。
【請求項６】
消費者の端末に、インターネットを介して、接続されるシステムに、
消費者の端末に対して、消費者が、印刷物の各紙面ごとに、レイアウトと、レイアウト上の素材を配置する位置に、配置する素材とを、それぞれの候補から選択することにより、印刷物のカスタマイズを行って注文できる環境を提供する機能と、
印刷物の注文を受けると、印刷業者に対する注文データを作成する機能とを実現させることを特徴とする印刷物受注プログラム。
【請求項７】
請求項５又は６に記載の印刷物受注プログラムを記録した記録媒体。
【請求項８】
画像供給業者から供給される画像データから成る素材データ及び印刷業者から供給されるレイアウトデータを保管し、該素材データ及びレイアウトデータを、インターネットを
介してＷｅｂサイト運用業者のＷｅｂサーバに公開している素材管理サーバと、
印刷物の各紙面ごとにレイアウトの候補を表わすテンプレートデータと、このテンプレートの表わすレイアウト上の素材を配置する各位置に、配置する素材の候補を表わすカセットデータとを保管し、Ｗｅｂサーバに代わって印刷物の各紙面ごとに、レイアウトと、レイアウト上の素材を配置する各位置に、配置する各素材とを、それぞれの候補から選択できる環境を、消費者の端末に提供するネット出版サービスサーバと、
Ｗｅｂサーバからインターネットを介して注文データを取得する印刷業者の端末と、
該取得した注文データが素材データを紙面単位で配置したものである場合、この注文データに基づいて素材管理サーバから印刷物を作成するのに用いられる素材データをダウンロードし、該取得した注文データが素材データをテンプレートデータの表すレイアウト上に配置したものである場合、この注文データに基づいてネット出版サービスサーバから印刷物の印刷用データをダウンロードし、印刷物を作成するプリントオンデマンドシステムとを備えることを特徴とする印刷物受注システム。
【請求項９】
印刷物が写真集、ノート、カレンダー、ポストカード、コースター、ポスター、カットアウト、タペストリーの中から選択されたものであることを特徴とする請求項８記載の印刷物受注システム。
【発明の詳細な説明】
【技術分野】
【０００１】
本発明は、印刷物の注文を受ける技術に関する。
【背景技術】
【０００２】
一般に、一般消費者に販売することを目的とする印刷物では、一般消費者が、各人の好みに応じて、オリジナルな印刷物を手に入れることはできない。
【０００３】
従来、インターネット等のネットワークを介してＷｅｂサーバ上で印刷物をデザイン、作成する技術が開示されている（例えば、特許文献１参照）。しかしながら、特許文献１に記載の発明は、その従来の技術の記載中に見られるように、販売店、営業所、工務店又は大学からオリジナルチラシ・パンフレットを印刷業者が請け負うための業務用のものである。
【特許文献１】特開２００１−１４２８２１号公報
【発明の開示】
【発明が解決しようとする課題】
【０００４】
本発明は斯かる背景技術に鑑みてなされたもので、一般消費者に販売することを目的とする印刷物について、一般消費者が、各人の好みに応じて、オリジナルな印刷物を容易に手に入れられるようにすることを課題とする。
【課題を解決するための手段】
【０００５】
本発明において上記課題を達成するために、まず請求項１の発明では、消費者の端末に、インターネットを介して、接続されるシステムであって、
消費者の端末に対して、消費者が、印刷物の各紙面に印刷される内容を、一つ又は複数の紙面単位で、その候補から選択することにより、印刷物のカスタマイズを行って注文できる環境を提供する機能と、
印刷物の注文を受けると、印刷業者に対する注文データを作成する機能とを有することを特徴とする印刷物受注システムとしたものである。
【０００６】
また請求項２の発明では、消費者の端末に、インターネットを介して、接続されるシステムであって、
消費者の端末に対して、消費者が、印刷物の各紙面ごとに、レイアウトと、レイアウト上の素材を配置する位置に、配置する素材とを、それぞれの候補から選択することにより、印刷物のカスタマイズを行って注文できる環境を提供する機能と、
印刷物の注文を受けると、印刷業者に対する注文データを作成する機能とを有することを特徴とする印刷物受注システムとしたものである。
【０００７】
また請求項３の発明では、消費者の端末に、インターネットを介して、接続されるシステムが実行する方法であって、
消費者の端末に対して、消費者が、印刷物の各紙面に印刷される内容を、一つ又は複数の紙面単位で、その候補から選択することにより、印刷物のカスタマイズを行って注文できる環境を提供する工程と、
印刷物の注文を受けると、印刷業者に対する注文データを作成する工程とを含むことを特徴とする印刷物受注方法としたものである。
【０００８】
また請求項４の発明では、消費者の端末に、インターネットを介して、接続されるシステムが実行する方法であって、
消費者の端末に対して、消費者が、印刷物の各紙面ごとに、レイアウトと、レイアウト上の素材を配置する位置に、配置する素材とを、それぞれの候補から選択することにより、印刷物のカスタマイズを行って注文できる環境を提供する工程と、
印刷物の注文を受けると、印刷業者に対する注文データを作成する工程とを含むことを特徴とする印刷物受注方法としたものである。
【０００９】
また請求項５の発明では、消費者の端末に、インターネットを介して、接続されるシステムに、
消費者の端末に対して、消費者が、印刷物の各紙面に印刷される内容を、一つ又は複数の紙面単位で、その候補から選択することにより、印刷物のカスタマイズを行って注文できる環境を提供する機能と、
印刷物の注文を受けると、印刷業者に対する注文データを作成する機能とを実現させることを特徴とする印刷物受注プログラムとしたものである。
【００１０】
また請求項６の発明では、消費者の端末に、インターネットを介して、接続されるシステムに、
消費者の端末に対して、消費者が、印刷物の各紙面ごとに、レイアウトと、レイアウト上の素材を配置する位置に、配置する素材とを、それぞれの候補から選択することにより、印刷物のカスタマイズを行って注文できる環境を提供する機能と、
印刷物の注文を受けると、印刷業者に対する注文データを作成する機能とを実現させることを特徴とする印刷物受注プログラムとしたものである。
【００１１】
また請求項７の発明では、請求項５又は６に記載の印刷物受注プログラムを記録した記録媒体としたものである。
【００１２】
また請求項８の発明では、画像供給業者から供給される画像データから成る素材データ及び印刷業者から供給されるレイアウトデータを保管し、該素材データ及びレイアウトデータを、インターネットを介してＷｅｂサイト運用業者のＷｅｂサーバに公開している素材管理サーバと、
印刷物の各紙面ごとにレイアウトの候補を表わすテンプレートデータと、このテンプレートの表わすレイアウト上の素材を配置する各位置に、配置する素材の候補を表わすカセットデータとを保管し、Ｗｅｂサーバに代わって印刷物の各紙面ごとに、レイアウトと、レイアウト上の素材を配置する各位置に、配置する各素材とを、それぞれの候補から選択できる環境を、消費者の端末に提供するネット出版サービスサーバと、
Ｗｅｂサーバからインターネットを介して注文データを取得する印刷業者の端末と、
該取得した注文データが素材データを紙面単位で配置したものである場合、この注文データに基づいて素材管理サーバから印刷物を作成するのに用いられる素材データをダウンロードし、該取得した注文データが素材データをテンプレートデータの表すレイアウト上に配置したものである場合、この注文データに基づいてネット出版サービスサーバから印刷物の印刷用データをダウンロードし、印刷物を作成するプリントオンデマンドシステムとを備えることを特徴とする印刷物受注システムとしたものである。
【００１３】
また請求項９の発明では、印刷物が写真集、ノート、カレンダー、ポストカード、コースター、ポスター、カットアウト、タペストリーの中から選択されたものであることを特徴とする請求項８記載の印刷物受注システムとしたものである。
【発明の効果】
【００１４】
請求項１、３、５、及び請求項５を引用する請求項７の発明は、消費者が、印刷物の各
紙面に印刷される内容を、一つ又は複数の紙面単位で、その候補から選択することによりカスタマイズを行い市販の商品と同じ品質レベルの印刷物を注文でき、それゆえ、請求項２、４、６、及び請求項６を引用する請求項７の発明よりも、手軽に印刷物のカスタマイズが行えるという効果がある。
【００１５】
請求項２、４、６、及び請求項６を引用する請求項７の発明は、消費者が、印刷物の各紙面ごとに、レイアウトと、レイアウト上の素材を配置する位置に、配置する素材とを、それぞれの候補から選択することによりカスタマイズを行って市販の商品と同じ品質レベルの印刷物を注文でき、それゆえ、請求項１、３、５、及び請求項５を引用する請求項７の発明よりも、本格的に印刷物のカスタマイズが行えるという効果がある。
【００１６】
請求項８の発明は、印刷業者が、請求項１又は２に記載の印刷物受注システムをＷｅｂサーバ運用業者のＷｅｂサーバに実現することを支援でき、また、請求項１又は２に記載の印刷物受注システムで作成された注文データを取得し、この注文データに基づいてプリントオンデマンドシステムで印刷物を作成して注文者に納入できるという効果がある。
【００１７】
請求項９の発明は、印刷物が、写真集、ノート、カレンダー、ポストカード、コースター、ポスター、カットアウト、タペストリーである場合に、印刷業者が、請求項１又は２に記載の印刷物受注システムをＷｅｂサーバ運用業者のＷｅｂサーバに実現することを支援でき、また、請求項１又は２に記載の印刷物受注システムで作成された注文データを取得し、この注文データに基づいてプリントオンデマンドシステムで印刷物を作成して注文者に納入できるという効果がある。
【００１８】
以上、本発明は、一般消費者に販売することを目的とする印刷物について、一般消費者が、各人の好みに応じて、オリジナルな印刷物を容易に手に入れられるという効果がある。
【発明を実施するための最良の形態】
【００１９】
以下に、本発明の最良の一実施形態を説明する。
【００２０】
１．構成
本実施形態に係るシステムは、例えば、図１に示すように、消費者の端末と、Ｗｅｂサイト運用業者のＷｅｂサーバと、画像供給業者の端末と、印刷業者の素材管理サーバと、印刷業者のネット出版サービスサーバと、印刷業者の端末と、印刷業者のプリントオンデマンドシステムとを備える。消費者の端末と、Ｗｅｂサイト運用業者のＷｅｂサーバと、画像供給業者の端末と、印刷業者のネット出版サービスサーバと、印刷業者の端末とは、インターネットに接続される。以後、単に、Ｗｅｂサーバ、素材管理サーバ、ネット出版サービスサーバ、プリントオンデマンドシステムと云えば、それぞれ、Ｗｅｂサイト運用業者のＷｅｂサーバ、印刷業者の素材管理サーバ、印刷業者のネット出版サービスサーバ、印刷業者のプリントオンデマンドシステムを意味するものとする。
【００２１】
消費者の端末は、パソコン等のコンピュータ、或は、携帯電話機等の携帯端末である。画像供給業者の端末、印刷業者の端末は、それぞれ、パソコン等のコンピュータである。
【００２２】
プリントオンデマンドシステムは、印刷物を作成する装置である。ここで印刷物とは、写真集、コースター、ノート、カレンダー、ポストカード、ポスター、カットアウト、タペストリー等が含まれる。
【００２３】
Ｗｅｂサーバは、会員を管理し、インターネットを介して、会員である消費者の端末に対して、会員である消費者が、印刷物のカスタマイズが行える環境を、自ら提供するか、
或は、ネット出版サービスサーバに提供させ、また、会員である消費者の端末に対して、会員である消費者が、カスタマイズした印刷物の注文ができる環境を、自ら提供し、印刷物の注文を受けると、印刷業者に対する注文データを作成するためのコンピュータシステムである。また、Ｗｅｂサーバは、印刷物の注文代金を決済するための処理、注文データを、インターネットを介して、印刷業者の端末に送る処理を行っても良い。以後、特に断わらなければ、消費者は、会員として登録されているものとする。
【００２４】
印刷物のカスタマイズが行える環境の内、Ｗｅｂサーバが自ら提供する環境は、印刷物の各紙面に印刷される内容（紙面内のレイアウトを必要としない素材）を、一つ又は複数の紙面単位で、その候補から選択できる環境である。以後、この環境で行えるカスタマイズを、簡易カスタマイズとも呼び、また、この環境を簡易カスタマイズ環境とも呼ぶ。
【００２５】
他方、印刷物のカスタマイズが行える環境の内、Ｗｅｂサーバがネット出版サービスサーバに提供させる環境は、印刷物の各紙面ごとに、レイアウトと、レイアウト上の素材を配置する各位置に、配置する各素材とを、それぞれの候補から選択できる環境である。この環境で行えるカスタマイズを、フルカスタマイズとも呼ぶ。また、この環境をフルカスタマイズ環境とも呼ぶ。また、レイアウトの候補を、テンプレートとも呼ぶ。また、レイアウト上の素材を配置する位置に、配置する素材の候補を、カセットとも呼ぶ。尚、フルカスタマイズ環境は、消費者の端末の内、パソコンなどのコンピュータに対してのみ提供され、携帯電話機などの携帯端末には提供されない。
【００２６】
図２に、レイアウトの例を示す。図２に示すレイアウトにおいて、位置ａ、位置ｂ、位置ｃ、それぞれは、素材を配置する位置である。図３に示すように、位置ａ、位置ｂ、位置ｃ、それぞれに、素材として、画像Ａ、画像Ｂ、画像Ｃを配置すると、図４に示す紙面が得られる。
【００２７】
素材管理サーバは、ＤＩＣＳ−ｎｅｔとも呼ばれ、印刷物ごとに、画像データ及びレイアウトデータなどの印刷物を作成するのに用いる素材データを保管し、これら素材データを、インターネットを介して、Ｗｅｂサイト運用業者のＷｅｂサーバに公開しているコンピュータシステムである。印刷物が、特定の人物を被写体とする写真から構成されるものである場合、素材管理サーバは、図５に示すように、人物単位で、印刷物ごとに、画像データ及びレイアウトデータなどの印刷物を作成するのに用いる素材データを保管しても良い。
【００２８】
画像供給業者は、画像供給業者の端末にて、素材管理サーバに対して、インターネットを介して、素材となる画像データの登録、更新、削除を行う。
【００２９】
印刷業者は、素材管理サーバに、レイアウトデータを、登録、更新、削除する。また、印刷業者は、印刷業者の端末にて、Ｗｅｂサーバからインターネットを介して注文データを取得し、この注文データが簡易カスタマイズによって作成されたものである場合、この注文データに基づいて、素材管理サーバから、印刷物を作成するのに用いる素材データをダウンロードして、プリントオンデマンドシステムで印刷物を作成する。
【００３０】
Ｗｅｂサイト運用業者は、印刷物を作成するのに用いる素材データを、インターネットを介して、素材管理サーバからダウンロードして、Ｗｅｂサーバに、簡易カスタマイズ環境を、消費者の端末に対して提供する機能を実現するのに利用する。画像データについては、Ｗｅｂサイト運用業者は、Ｗｅｂブラウザにて、サイズ変更、解像度変換（例えば、素材管理サーバに３５６ｄｐｉで保管されているものを７２ｄｐｉに変換）、カラースペース変換などを指定し、指定したサイズに変更され、指定した解像度に変換され、指定したカラースペースに変換された画像データをダウンロードする。
【００３１】
ネット出版サービスサーバは、ＮＳＰ（ＮＥＴ  ＰＵＢＬＩＳＨＩＮＧ  ＳＥＲＶＩＣＥ）とも呼ばれ、印刷物の各紙面ごとに、レイアウトの候補を表すテンプレートデータと、このテンプレートデータの表すレイアウト上の素材を配置する各位置に、配置する素材の候補を表すカセットデータとを保管し、Ｗｅｂサーバに代わって、印刷物の各紙面ごとに、レイアウトと、レイアウト上の素材を配置する各位置に、配置する各素材とを、それぞれの候補から選択できるフルカスタマイズ環境を、消費者のパソコンなどのコンピュータに提供するコンピュータシステムである。また、ネット出版サービスサーバは、フルカスタマイズ環境にて、消費者が選択したレイアウトと素材のデータに基づいて、印刷物の印刷用データを、ＰＤＦファイル形式で作成して保管する。
【００３２】
印刷業者は、ネット出版サービスサーバに、テンプレートデータとカセットデータとを登録、更新、削除する。この際、印刷業者は、素材管理サーバに保管されている画像データを、カセットデータとして、ネット出版サービスサーバに登録しても良い。また、印刷業者は、印刷業者の端末にて、Ｗｅｂサーバからインターネットを介して注文データを取得し、この注文データがフルカスタマイズによって作成されたものである場合、この注文データに基づいて、ネット出版サービスサーバから、印刷物の印刷用データをダウンロードして、プリントオンデマンドシステムで印刷物を作成する。
【００３３】
２．簡易カスタマイズに伴ってなされる処理例
以下に、印刷物として、写真集とコースターを取上げて、それぞれの簡易カスタマイズに伴ってなされる処理例について説明する。
【００３４】
２．２．写真集の簡易カスタマイズに伴ってなされる処理例
本例において、写真集の各ページは、図６に示すように、定形ページと、可変ブロックに属するページとに分かれている。ここで、可変ブロックに属する各ページは、印刷される内容を、ブロック単位で、消費者自ら選択できるものである。他方、定形ページは、印刷される内容を、消費者自ら選択できないものである。
【００３５】
以下のＳＴＥＰ１〜９に、図６に示すように各ページが定形ページと可変ブロックとに分かれているアイドルＡの写真集について、簡易カスタマイズに伴ってなされる処理の流れの例を説明する。尚、この簡易カスタマイズは、印刷物の各紙面に印刷される内容を、複数の紙面単位で、内容の候補から選択する例となっている。
【００３６】
ＳＴＥＰ１；
Ｗｅｂサーバは、消費者の端末に、図７に示すログイン画面を表示する。
【００３７】
ＳＴＥＰ２；
図７に示すログイン画面にて、消費者が、ＩＤとパスワードとを入力して、送信ボタンを押すと、Ｗｅｂサーバは、消費者の端末に、図８に示す商品選択画面を表示する。
【００３８】
ここでは、消費者が、会員に既登録であって、ＩＤとパスワードとを持っていることを前提としている。
【００３９】
ＳＴＥＰ３；
図８に示す商品選択画面にて、消費者が、写真集を選択して、送信ボタンを押すと、Ｗｅｂサーバは、消費者の端末に、図９に示す商品選択画面を表示する。
【００４０】
ＳＴＥＰ４；
図９に示す商品選択画面にて、消費者が、カスタマイズするを選択して、送信ボタンを
押すと、Ｗｅｂサーバは、消費者の端末に、図１０に示す商品選択画面を表示する。
【００４１】
図１０に示す商品選択画面において、写真番号Ｐｈｏｔｏ０１〜０３は、可変ブロック１に属するページ５〜８に印刷される内容を識別する番号であって、画像１〜３は、それぞれ、写真番号Ｐｈｏｔｏ０１〜０３を選択したときに、可変ブロック１に属するページ５〜８に印刷される内容を表している。
【００４２】
ＳＴＥＰ５；
図１０に示す商品選択画面にて、消費者が、写真番号Ｐｈｏｔｏ０１〜０３の中から１つを選択して、送信ボタンを押すと、Ｗｅｂサーバは、図１１に示す商品選択画面を表示する。
【００４３】
図１１に示す商品選択画面において、写真番号Ｐｈｏｔｏ０４〜０６は、可変ブロック２に属するページ９〜１２に印刷される内容を識別する番号であって、画像４〜６は、それぞれ、写真番号Ｐｈｏｔｏ０４〜０６を選択したときに、可変ブロック２に属するページ９〜１２に印刷される内容を表している。
【００４４】
ＳＴＥＰ６；
図１１に示す商品選択画面にて、消費者が、写真番号Ｐｈｏｔｏ０４〜０６の中から１つを選択して、送信ボタンを押すと、Ｗｅｂサーバは、図１２に示すお届け先画面を、消費者の端末に表示する。
【００４５】
ＳＴＥＰ７；
図１２に示すお届け先画面にて、消費者が、各項目に入力して、確認ボタンを押すと、Ｗｅｂサーバは、注文データを作成する。
【００４６】
注文データには、アイドルＡの写真集が注文されたことを示す情報、可変ブロック１に属するページ５〜８に印刷される内容を識別する写真番号、可変ブロック２に属するページ９〜１２に印刷される内容を識別する写真番号、お届け先情報、注文者の名前が含まれる。ここで、お届け先情報には、図１２に示すお届け先画面にて入力された住所に関する情報が含まれる。また、注文者の氏名は、会員情報としてＷｅｂサーバに登録されているものを用いても良い。
【００４７】
ＳＴＥＰ８；
Ｗｅｂサーバは、アイドルＡの写真集の注文代金を決済するための処理を行う。
【００４８】
ＳＴＥＰ９；
印刷業者は、印刷業者の端末にて、Ｗｅｂサーバから、インターネットを介して、注文データを取得し、この注文データに基づいて、注文されたアイドルＡの写真集の印刷に要する素材データを、素材管理サーバからダウンロードして、プリントオンデマンドシステムで、この写真集を作成する。
【００４９】
尚、アイドルの写真集では、最初のページには、図１３に示すように、注文者に宛てて、アイドルＡからの直筆メッセージが印刷される。このアイドルＡからの直筆メッセージは、画像供給業者が画像データとして予め複数素材管理サーバに登録しておいたものの中から、ランダムに１つ取り出して印刷されたものである。
【００５０】
２．２．コースターの簡易カスタマイズに伴ってなされる処理例
以下のＳＴＥＰ１〜９に、アイドルＡのコースターについて、簡易カスタマイズに伴ってなされる処理の流れの例を説明する。尚、この簡易カスタマイズは、印刷物の紙面に印
刷される内容を、紙面単位で、内容の候補から選択する例となっている。
【００５１】
ＳＴＥＰ１；
Ｗｅｂサーバは、消費者の端末に、図７に示すログイン画面を表示する。
【００５２】
ＳＴＥＰ２；
図７に示すログイン画面にて、消費者が、ＩＤとパスワードとを入力して、送信ボタンを押すと、Ｗｅｂサーバは、消費者の端末に、図８に示す商品選択画面を表示する。
【００５３】
ここでは、消費者が、会員に既登録であって、ＩＤとパスワードとを持っていることを前提としている。
【００５４】
ＳＴＥＰ３；
図８に示す商品選択画面にて、消費者が、コースターを選択して、送信ボタンを押すと、Ｗｅｂサーバは、消費者の端末に、図１４に示す商品選択画面を表示する。
【００５５】
ＳＴＥＰ４；
図１４に示す商品選択画面にて、消費者が、角型コースターを選択して、送信ボタンを押すと、図１５に示す商品選択画面を表示する。
【００５６】
図１５に示す商品選択画面において、写真番号Ｐｈｏｔｏ０１〜０３は、画像を識別する番号であって、画像７〜９は、写真番号Ｐｈｏｔｏ０１〜０３を選択したときに、角型コースターに印刷される画像を表している。尚、写真番号Ｐｈｏｔｏ０１〜０３で識別される画像は、何れも、アイドルＡを被写体とする写真画像である。
【００５７】
ＳＴＥＰ５；
図１５に示す商品選択画面にて、消費者が、写真番号Ｐｈｏｔｏ０２を選択して、送信ボタンを押すと、Ｗｅｂサーバは、消費者の端末に、図１６に示す商品選択画面を表示する。
【００５８】
図１６に示す商品選択画面において、画像１０は、写真番号Ｐｈｏｔｏ０２で識別される画像を印刷した角型コースターを表す。
【００５９】
ＳＴＥＰ６；
図１６に示す商品選択画面にて、消費者が、名入れの有無の選択と、名前を入れるを選択した場合は名前の入力と、注文数の入力とを行って、送信ボタンを押すと、Ｗｅｂサーバは、図１２に示すお届け先画面を、消費者の端末に表示する。
【００６０】
ＳＴＥＰ７；
図１２に示すお届け先画面にて、消費者が、各項目に入力して、確認ボタンを押すと、Ｗｅｂサーバは、注文データを作成する。
【００６１】
注文データには、アイドルＡのコースターが注文されたことを示す情報、コースターの型、コースターに印刷される画像を識別する写真番号、名入れ有無、名入れをする場合はその名前、注文数、お届け先情報が含まれる。ここで、お届け先情報には、図１２に示すお届け先画面にて入力された住所に関する情報が含まれる。
【００６２】
ＳＴＥＰ８；
Ｗｅｂサーバは、コースターの注文代金を決済するための処理を行う。
【００６３】
ＳＴＥＰ９；
印刷業者は、印刷業者の端末にて、Ｗｅｂサーバから、インターネットを介して、注文データを取得し、この注文データに基づいて、この注文データに含まれる写真番号で識別される画像の画像データを、素材管理サーバからダウンロードして、プリントオンデマンドシステムで、このコースターを注文数分作成する。
【００６４】
３．フルカスタマイズに伴ってなされる処理例
以下のＳＴＥＰ１〜１０に、印刷物のフルカスタマイズに伴ってなされる処理の流れの例を説明する。
【００６５】
ＳＴＥＰ１；
Ｗｅｂサーバは、消費者の端末に、ＩＤとパスワードとを入力して、印刷物のフルカスタマイズ環境にログインするためのログイン画面を表示する。
【００６６】
ＳＴＥＰ２；
消費者は、ログイン画面にて、ＩＤとパスワードとを入力してログインすると、ネット出版サービスサーバは、印刷物の紙面編集画面を、消費者の端末に表示する。
【００６７】
ここでは、消費者が、会員に既登録であって、ＩＤとパスワードとを持っていることを前提としている。
【００６８】
ＳＴＥＰ３；
消費者は、印刷物の紙面編集画面にて、印刷物の各紙面ごとに、好みのレイアウトを、その候補から選択する。
【００６９】
ＳＴＥＰ４；
消費者は、印刷物の紙面編集画面にて、選択したレイアウト上の素材を配置する各位置に、配置する素材を、その候補から選択する。
【００７０】
ＳＴＥＰ５；
ネット出版サービスサーバは、印刷物の紙面編集画面において、選択されたレイアウト上の素材を配置する各位置に、選択された素材を配置して得られる紙面（前述の図２〜４を参照）を表示して、消費者の了承を求める。
【００７１】
ＳＴＥＰ６；
消費者が、印刷物の紙面編集画面にて、表示された紙面を了承すると、ネット出版サービスサーバは、この紙面を有する印刷物の印刷用データを、ＰＤＦファイル形式で作成して保管し、この印刷用データを識別する番号を、Ｗｅｂサーバに送る。
【００７２】
ＳＴＥＰ７；
Ｗｅｂサーバは、印刷用データの識別番号を受け取って、印刷物の数量や納品先を設定し発注する発注画面を、消費者の端末に表示する。
【００７３】
ＳＴＥＰ８；
消費者が、発注画面にて、印刷物の数量や納品先を設定し発注すると、印刷物の注文データを作成する。
【００７４】
注文データには、印刷物の印刷用データの識別番号、印刷物の数量や納品先が含まれる。
【００７５】
ＳＴＥＰ９；
Ｗｅｂサーバは、印刷物の注文代金を決済するための処理を行う。
【００７６】
ＳＴＥＰ１０；
印刷業者は、印刷業者の端末にて、Ｗｅｂサーバから、インターネットを介して、注文データを取得し、注文データに含まれる印刷物の印刷用データの識別番号に基づいて、ネット出版サービスサーバから、印刷物の印刷用データをダウンロードして、プリントオンデマンドシステムで印刷物を作成する。
【００７７】
尚、印刷物の紙面編集画面において、レイアウト上の素材を配置する各位置に、配置する素材は、消費者が、消費者の端末から、ネット出版サービスサーバにアップロードしたものであっても良い。
【００７８】
また、印刷物の紙面編集画面において、レイアウト上の素材を配置する各位置に、配置する素材は、消費者がテキスト入力できるものであっても良い。この場合、ネット出版サービスサーバは、印刷物の紙面編集画面において、選択されたレイアウト上の素材を配置する各位置に、選択された素材を配置し、配置された素材に入力されたテキストを表示して得られる紙面を表示し、また、この紙面を有する印刷物の印刷用データを、ＰＤＦファイル形式で作成して保管し、この印刷用データを識別する番号を、Ｗｅｂサーバに送る。
【図面の簡単な説明】
【００７９】
【図１】本実施形態に係るシステムの構成例を示す図。
【図２】レイアウトの例を示す図。
【図３】図２のレイアウト上の素材を配置する位置に、素材を配置する様子を示す図。
【図４】図２のレイアウト上の素材を配置する位置に、素材を配置して得られる紙面の例を示す図。
【図５】素材管理サーバにおけるデータ保管例を示す図。
【図６】写真集における定形ページと可変ブロックとを説明する図。
【図７】ログイン画面の例を示す図。
【図８】商品選択画面の例を示す図。
【図９】商品選択画面の例を示す図。
【図１０】商品選択画面の例を示す図。
【図１１】商品選択画面の例を示す図。
【図１２】お届け先画面の例を示す図。
【図１３】アイドルＡの写真集において最初のページを示す図。
【図１４】商品選択画面の例を示す図。
【図１５】商品選択画面の例を示す図
【図１６】商品選択画面の例を示す図。
【符号の説明】
【００８０】
１…画像
２…画像
３…画像
４…画像
５…画像
６…画像
７…画像
８…画像
９…画像
１０…画像
【図１】
2007004348.tif 000003
【図２】
2007004348.tif 000004
【図３】
2007004348.tif 000005
【図４】
2007004348.tif 000006
【図５】
2007004348.tif 000007
【図６】
2007004348.tif 000008
【図７】
2007004348.tif 000009
【図８】
2007004348.tif 000010
【図９】
2007004348.tif 000011
【図１０】
2007004348.tif 000012
【図１１】
2007004348.tif 000013
【図１２】
2007004348.tif 000014
【図１３】
2007004348.tif 000015
【図１４】
2007004348.tif 000016
【図１５】
2007004348.tif 000017
【図１６】
2007004348.tif 000018